(57)【要約】【課題】  ケースの二つの箱体の組み合わせ構造からなり、開閉操作に便利であると共に、使用時における構造上の変化と外観の装飾上の変化を持たせた、多機能なケースの提供。【解決手段】  第一半筒体、第二半筒体及び複数の連結ベルトを含み、該第一半筒体と第二半筒体は相互に閉じ合わせて密封できる開口部を備えた中空の箱体とし、該連結ベルトは両面に異なる模様や文字または数字をプリントした片状のベルト体とし、少なくとも２本の該連結ベルトを該第一半筒体の開口部前縁部に接続し、該第一半筒体外面周囲に巻き付けて第二半筒体の開口部後縁部に接続し、さらに少なくとも１本の連結ベルトを該第二半筒体の開口部前縁部に接続し、該第二半筒体外面周囲に巻き付けて該第一半筒体の開口部後縁部に接続し、該連結ベルトが軸支部品となり、該第一半筒体及び第二半筒体を任意に異なる使用方向に開閉でき、使用上の利便性と変化等の効果を得る。【選択図】    図２
0003111503.tif 000002
【実用新案登録請求の範囲】
【請求項１】
一端有底の第一半筒体と、該第一半筒体に一体化して一端有底の筒体を形成可能な第二半筒体と、該第一半筒体と該第二半筒体とを連結する連結ベルトとを備えてなり、
前記連結ベルトの一端が、前記第一半筒体における前記第二半筒体との当接部近傍に固定され、かつ該連結ベルトの他端が、前記第二半筒体における前記第一半筒体との当接部であって、該連結ベルトの前記一端が固定された側とは反対側に位置する前記第一半筒体との当接部近傍に固定されたことを特徴とする多機能ケース。
【請求項２】
連結ベルトの数が２以上であり、該連結ベルトの少なくとも一つが、第一半筒体と第二半筒体が一体化されてなる一端有底の筒体における一端側に設けられ、該連結ベルトの他の一つが、前記一端有底の筒体における他端側に設けられた請求項１に記載の多機能ケース。
【請求項３】
第一半筒体と第二半筒体とが磁力によって互いに結合可能である請求項１から２のいずれかに記載の多機能ケース。
【考案の詳細な説明】
【技術分野】
【０００１】
本考案は、多機能なケース関し、特に、文具ケースや名刺ケース、眼鏡ケース、化粧箱、ギフトボックス、財布又は商品包装ボックスなどに広く用いることができるケースに関する。
【背景技術】
【０００２】
従来のペンケースなどの収納箱の構造は、通常上面が開口した筐体と下面が開口した蓋体とで構成されている。該蓋体と筐体を組み合わせたものとしては、直接蓋体を筐体の開口部に被せる構造で、垂直方向に開けたり蓋をしたりする機能を有するケースや、該蓋体と筐体の後端部を相互に軸支した構造とし、蓋体を開いたり閉じたりするという機能を得るものなどがある。これらのケースは、広く商品包装ボックスやギフトボックス、文具ケース、眼鏡ケース、化粧箱、財布等に用いられており、物品の収納と保護という基本的機能を発揮している。
【０００３】
しかしながら、上述のような従来のケースの構造は、該蓋体と筐体の固定組み立て形態の制限を受け、印刷、スプレー、粘着等の方法で蓋体と筐体外側表面に一定の模様や文字、数字または広告宣伝文句等をつけることができるだけであり、外観を任意で変化させるという機能はなく、構造変化効果は備えていないため、使用者をひきつけ継続して応用させることが困難である。また、従来の蓋体をめくり上げるタイプのケースは、往々にして右利きの使用者が開いて使用しやすいように製造されており、左利きの使用者にとっては不便であることが多い。
また、一のケースで何通りかのセット商品などを包装できる多機能ケースも提案されている（特許文献１参照）。
しかし、前記多機能ケースの場合、構造が複雑であり、使い勝ってや生産性に劣るという問題がある。
【０００４】
上述の従来のケースにおける構造上の問題に鑑みて、構造が簡単で使い勝っての良好なケースであり、かつ多くの用途に用いることができる多機能ケースが望まれている。
【０００５】
【特許文献１】実用新案登録第３１０７４７８号公報
【考案の開示】
【考案が解決しようとする課題】
【０００６】
本考案は、従来における前記諸問題を解決し、以下の目的を達成することを課題とする。即ち、本考案は、ケースの二つの箱体の組み合わせ構造にからなり、開閉操作に便利であると共に、使用時における構造上の変化と外観の装飾上の変化を持たせた、多機能なケースを提供することを目的とする。
【課題を解決するための手段】
【０００７】
前記課題を解決するための手段としては、以下の通りである。即ち、
＜１＞  一端有底の第一半筒体と、該第一半筒体に一体化して一端有底の筒体を形成可能な第二筒体と、該第一半筒体と該第二半筒体とを連結する連結ベルトとを備えてなり、
前記連結ベルトの一端が、前記第一半筒体における前記第二半筒体との当接部近傍に固定され、かつ該連結ベルトの他端が、前記第二半筒体における前記第一半筒体との当接部であって、該連結ベルトの一端が固定された側とは反対側に位置する前記第一半筒体との当接部近傍に固定されたことを特徴とする多機能ケースである。
＜２＞  連結ベルトの数が２以上であり、該連結ベルトの少なくとも一つが、第一半筒体と第二版筒体が一体化されてなる一端有底の筒体における一端側に設けられ、該連結ベルトの他の一つが、前記一端有底の筒体における他端側に設けられた前記＜１＞に記載の多機能ケースである。
＜３＞  第一半筒体と第二半筒体とが磁力によって互いに結合可能である前記＜１＞から＜２＞のいずれかに記載の多機能ケースである。
【考案を実施するための最良の形態】
【０００８】
以下、本考案の構造の特徴及びその他作用、目的について、具体的な実施例と図面に基づき詳細に説明する。
【０００９】
(多機能ケース)
本考案の多機能ケースは、第一半筒体、第二半筒体及び複数の連結ベルトからなり、そのうち、前記第一半筒体及び前記第二半筒体は、それぞれ開口部を備えた中空の半箱体とし、前記開口部に前縁部及び後縁部をそれぞれ備え、該第一半筒体と第二半筒体の前記開口部側を相互に閉じ合わせて密封することができる。
そのうち、該第一半筒体及び第二半筒体の外観形状は、半円柱形や矩形、多辺形、その他幾何形状または不規則な形状とすることができ、かつ、該第一半筒体、第二半筒体の外面周囲に模様や文字、数字等を設けることもできる。
【００１０】
前記複数の連結ベルトは、片状のベルト体でもよく、その両面に異なる模様や文字、数字等のうち少なくとも１種類または数種類を組み合わせて設け、該連結ベルトの両面に異なる視覚的外観を持たせてもよい。
【００１１】
上記の構造により、少なくとも２本の連結ベルトを選択的に用い、その一端を第一半筒体の前記開口部の前記前縁部に接続し、該連結ベルトの中段部を前記第一半筒体の外面周囲に巻きつけ、別の一端を前記第二半筒体の前記開口部の後縁部に接続する。
更に、少なくとも１本の連結ベルト３を用い、その一端を前記第二半筒体の開口部の前記前縁部に接続し、該連結ベルトの中段部を該第二半筒体の前記外面周囲に巻きつけ、別の一端を前記第一半筒体の前記開口部の前記後縁部に接続する。これにより、該複数の連結ベルトが軸支部品となり、該第一半筒体及び前記第二半筒体を任意に異なる使用方向に開閉できるケースとなる。
【００１２】
更に、上述の本考案の前記第一半筒体及び前記第二半筒体の該開口部の前縁部及び前記後縁部にそれぞれ互いに吸着することができる吸着部を設け、該第一半筒体及び前記第二半筒体を閉じ合わせた時、相互に吸着する機能を形成し、任意に開いてしまうことがない構造にしてもよい。そのうち、該吸着部の構造としては、まず、該第一半筒体１び前記第二半筒体の前記開口部の前記前縁部及び前記後縁部の前記端部に少なくとも１つの磁石をそれぞれ設け、このとき、相互に対応する磁石の極性は反対の極性とし、前記第一半筒体と前記第二半筒体が相互に吸着し密封する機能を形成するか、又は、該第一半筒体の同じ部位に少なくとも１つの磁石を設け、前記第二半筒体の対応する位置に鉄片を設置し、前記第一半筒体と前記第二半筒体が相互に吸着し密封する機能を形成するか、あるいは、該第一半筒体の同じ部位に少なくとも１つの磁石を設け、前記第二半筒体を鉄製とすることで、前記第一半筒体と前記第二半筒体を相互に吸着させ閉じ合わせる構造のうち、いずれかとすることができる。
【００１３】
本考案の多機能ケースは、具体的には文具ケース、名刺ケース、眼鏡ケース、化粧箱、ギフトボックス、財布又は商品包装ボックス等に応用できる。
【実施例】
【００１４】
以下、本考案の実施例について説明するが、本考案は下記実施例に何ら限定されるものではない。
本考案の多機能ケースは、図１に示すように、第一半筒体１、第二半筒体２及び複数の連結ベルト３、３’からなり、そのうち、第一半筒体１及び第二半筒体２は、図１及び図２に示すように、それぞれ開口部１１、２１を備えた中空の半箱体とし、開口部１１、２１に前縁部１１１、２１１及び後縁部１１２、２１２をそれぞれ備え、該第一半筒体１と第二半筒体２の開口部１１、２１側を相互に閉じ合わせて密封することができる。
そのうち、該第一半筒体１及び第二半筒体２の外観形状は、半円柱形や矩形、多辺形、その他幾何形状または不規則な形状とすることができ、かつ、該第一半筒体１、第二半筒体２の外面周囲１２、２２に模様や文字、数字等を設けることができる。
【００１５】
前記複数の連結ベルト３、３’は、図１に示すように、片状のベルト体であり、その両面に異なる模様や文字、数字等のうち少なくとも１種類又は数種類を組み合わせて設け、該連結ベルト３、３’の両面に異なる視覚的外観を持たせてもよい。
【００１６】
上記の構造により、図１及び図２に示すように、２本の連結ベルト３を選択的に用い、その一端を第一半筒体１の開口部１１前縁部１１１に接続し、該連結ベルト３の中段部を第一半筒体１外面周囲１２に巻きつけ、別の一端を第二半筒体２の開口部２１後縁部２１２に接続する。
更に、１本の連結ベルト３’を用い、その一端を第二半筒体２の開口部２１前縁部２１１に接続し、該連結ベルト３’の中段部を該第二半筒体２外面周囲２２に巻きつけ、別の一端を第一半筒体１の開口部１１後縁部１１２に接続する。
これにより、該複数の連結ベルト３、３’が軸支部品となり、該第一半筒体１及び第二半筒体２を任意に異なる使用方向に開閉できるケースとなる。
【００１７】
更に、上述の本考案の第一半筒体１及び第二半筒体２の該開口部１１、２１の前縁部１１１、２１１及び後縁部１１２、２１２にそれぞれ吸着部１３、２３（図３に示す）を設け、該第一半筒体１及び第二半筒体２を閉じ合わせた際、相互に吸着する機能を形成し、任意に開いてしまうことがないように設計してもよい。
そのうち、該吸着部１３、２３の構造としては、まず、該第一半筒体１及び第二半筒体２の開口部前縁部１１１、２１１及び後縁部１１２、２１２の端部に、１つの磁石１３１、２３１（図３に示す）をそれぞれ設け、このとき、相互に対応する前記磁石の極性は、反対の極性とし、第一半筒体１と第二半筒体２が相互に吸着し密封する機能を形成する構造をとることもできる。
または、該第一半筒体１の同じ部位に１つの磁石を設け、第二半筒体２の対応する位置に鉄片（図には未表示）を設置し、第一半筒体１と第二半筒体２が相互に吸着し密封する機能を形成するか、あるいは、該第一半筒体１の同じ部位に１つの磁石を設け、第二半筒体２を鉄製とすることで、第一半筒体１と第二半筒体２を相互に吸着させ閉じ合わせる構造のうち、いずれかとすることができる。
【００１８】
本考案の多機能ケースは、具体的には文具ケース、名刺ケース、眼鏡ケース、化粧箱、ギフトボックス、財布又は商品包装ボックス等に応用でき、その使用状態法は、図３以下に示すように、第一半筒体１及び第二半筒体２を相互に閉じ合わせたとき、複数の連結ベルト３、３’を箱体外面周囲１２、２２に巻きつけ、該連結ベルト３、３’の片面の模様や文字または数字（図４に示す）を表示することができる。
また、図５及び図６に示すように、使用者が物品を収納するときは、任意に第一半筒体１及び第二半筒体２の開口部前縁部１１１、２１１を開け、該第一半筒体１及び第二半筒体２内部に物品を入れて収納する。
【００１９】
使用者が、その開口部の方向又は外観を変えたいときは、第一半筒体１及び第二半筒体２を開いた後、該第一半筒体１及び第二半筒体２を続けて回動させる（図７から図１０に示す）。  そして、該第一半筒体１及び第二半筒体２を一回転させ、再度対応させて閉じ合わせる（図１１から図１２に示す）と、該第一半筒体１及び第二半筒体２の開放方向が開口部後縁部１１２、２１２に変わり、かつ、該連結ベルト３、３’の別の一面の異なる模様や文字又は数字を表示することができ、使用方向と外観の視覚的表現を変化させることができる。
【００２０】
上述の実施構造と使用状態などから分かるように、本考案の多機能ケースは任意に２つの箱体１、２の開放側を開口部の前縁部１１１、２１１又は開口部の後縁部１１２、２１２に変えて使用することができるため、異なる使用習慣を持つ使用者がそれぞれに便利なように使用することができ、操作上の利便性と構造上の変化の効果を得ることができる。  更に、開放方向を変換すると、該連結ベルト３、３’が両面で異なる模様や文字、数字等を表示することができるため、使用者個人の好みに合わせて使用でき、使用時に個性を表現することができる。また、該連結ベルト３、３’の両面に広告宣伝文字を設けることができるため、商品の保装ボックスとして応用する場合、その広告効果がより向上される。
【産業上の利用可能性】
【００２１】
本考案は、多機能なケースであり、特に、文具ケースや名刺ケース、眼鏡ケース、化粧箱、ギフトボックス、財布又は商品包装ボックスなどに広く用いることができる。
【図面の簡単な説明】
【００２２】
【図１】図１は、本考案の立体分解図である。
【図２】図２は、本考案の組み立て後の状態を示す立体外観図である。
【図３】図３は、図２の開放方向を開口部前縁部としたときの状態を示す断面図である。
【図４】図４は、図３の開放方向を開口部前縁部としたときの状態を示す立体外観図である。
【図５】図５は、図２の開放方向を開口部前縁部としたときの開放動作を示す断面図である。
【図６】図６は、図５の開放方向を開口部前縁部としたときの開放動作を示す立体外観図である。
【図７】図７は、図２の開放方向を変換する回動の連続動作開始時を示す断面図である。
【図８】図８は、図７の開放方向を変換する回動の連続動作開始時を示す立体外観図である。
【図９】図９は、図２の開放方向を変換する連続回動の動作途中を示す断面図である。
【図１０】図１０は、図９の開放方向を変換する回動の連続動作途中を示す立体外観図である。
【図１１】図１１は、図２の開放方向を開口部後縁部としたときの状態を示す断面図である。
【図１２】図１２は、図１１の開放方向を開口部後縁部としたときの状態を示す立体外観図である。
【符号の説明】
【００２３】
１                第一半筒体
２                第二半筒体
１１、２１        開口部
１１１、２１１    前縁部
１１２、２１２    後縁部
１２、２２        外面周囲
３、３’          連結ベルト
１３、２３        吸着部
１３１、２３１  磁石
【図１】
0003111503.tif 000003
【図２】
0003111503.tif 000004
【図３】
0003111503.tif 000005
【図４】
0003111503.tif 000006
【図５】
0003111503.tif 000007
【図６】
0003111503.tif 000008
【図７】
0003111503.tif 000009
【図８】
0003111503.tif 000010
【図９】
0003111503.tif 000011
【図１０】
0003111503.tif 000012
【図１１】
0003111503.tif 000013
【図１２】
0003111503.tif 000014
【手続補正書】
【提出日】平成17年3月22日(2005.3.22)
【手続補正１】
【補正対象書類名】実用新案登録請求の範囲
【補正対象項目名】全文
【補正方法】変更
【補正の内容】
【実用新案登録請求の範囲】
【請求項１】
両端有底の第一半筒体と、該第一半筒体に一体化して両端有底の筒体を形成可能な第二半筒体と、該第一半筒体と該第二半筒体とを連結する連結ベルトとを備えてなり、
前記連結ベルトの一端が、前記第一半筒体における前記第二半筒体との当接部近傍に固定され、かつ該連結ベルトの他端が、前記第二半筒体における前記第一半筒体との当接部であって、該連結ベルトの前記一端が固定された側とは反対側に位置する前記第一半筒体との当接部近傍に固定されたことを特徴とする多機能ケース。
【請求項２】
連結ベルトの数が２以上であり、該連結ベルトの少なくとも一つが、第一半筒体と第二半筒体が一体化されてなる両端有底の筒体における一端側に設けられ、該連結ベルトの他の一つが、前記両端有底の筒体における他端側に設けられた請求項１に記載の多機能ケース。
【請求項３】
第一半筒体と第二半筒体とが磁力によって互いに結合可能である請求項１から２のいずれかに記載の多機能ケース。
【手続補正２】
【補正対象書類名】明細書
【補正対象項目名】０００６
【補正方法】変更
【補正の内容】
【０００６】
本考案は、従来における前記諸問題を解決し、以下の目的を達成することを課題とする。即ち、本考案は、ケースの二つの箱体の組み合わせ構造からなり、開閉操作に便利であると共に、使用時における構造上の変化と外観の装飾上の変化を持たせた、多機能なケースを提供することを目的とする。
【手続補正３】
【補正対象書類名】明細書
【補正対象項目名】０００７
【補正方法】変更
【補正の内容】
【０００７】
前記課題を解決するための手段としては、以下の通りである。即ち、
＜１＞  両端有底の第一半筒体と、該第一半筒体に一体化して両端有底の筒体を形成可能な第二筒体と、該第一半筒体と該第二半筒体とを連結する連結ベルトとを備えてなり、
前記連結ベルトの一端が、前記第一半筒体における前記第二半筒体との当接部近傍に固定され、かつ該連結ベルトの他端が、前記第二半筒体における前記第一半筒体との当接部であって、該連結ベルトの一端が固定された側とは反対側に位置する前記第一半筒体との当接部近傍に固定されたことを特徴とする多機能ケースである。
＜２＞  連結ベルトの数が２以上であり、該連結ベルトの少なくとも一つが、第一半筒体と第二版筒体が一体化されてなる両端有底の筒体における一端側に設けられ、該連結ベルトの他の一つが、前記両端有底の筒体における他端側に設けられた前記＜１＞に記載の多機能ケースである。
＜３＞  第一半筒体と第二半筒体とが磁力によって互いに結合可能である前記＜１＞から＜２＞のいずれかに記載の多機能ケースである。
【手続補正４】
【補正対象書類名】明細書
【補正対象項目名】０００８
【補正方法】変更
【補正の内容】
【０００８】
以下、本考案の構造の特徴及びその他作用、目的について、具体的な実施形態について詳細に説明する。
【手続補正５】
【補正対象書類名】明細書
【補正対象項目名】００１１
【補正方法】変更
【補正の内容】
【００１１】
上記の構造により、少なくとも２本の連結ベルトを選択的に用い、その一端を第一半筒体の前記開口部の前記前縁部に接続し、該連結ベルトの中段部を前記第一半筒体の外面周囲に巻きつけ、別の一端を前記第二半筒体の前記開口部の後縁部に接続する。
更に、少なくとも１本の連結ベルトを用い、その一端を前記第二半筒体の開口部の前記前縁部に接続し、該連結ベルトの中段部を該第二半筒体の前記外面周囲に巻きつけ、別の一端を前記第一半筒体の前記開口部の前記後縁部に接続する。これにより、該複数の連結ベルトが軸支部品となり、該第一半筒体及び前記第二半筒体を任意に異なる使用方向に開閉できるケースとなる。
【手続補正６】
【補正対象書類名】明細書
【補正対象項目名】００１２
【補正方法】変更
【補正の内容】
【００１２】
更に、上述の本考案の前記第一半筒体及び前記第二半筒体の該開口部の前縁部及び前記後縁部にそれぞれ互いに吸着することができる吸着部を設け、該第一半筒体及び前記第二半筒体を閉じ合わせた時、相互に吸着する機能を形成し、任意に開いてしまうことがない構造にしてもよい。そのうち、該吸着部の構造としては、まず、該第一半筒体及び前記第二半筒体の前記開口部の前記前縁部及び前記後縁部の前記端部に少なくとも１つの磁石をそれぞれ設け、このとき、相互に対応する磁石の極性は反対の極性とし、前記第一半筒体と前記第二半筒体が相互に吸着し密封する機能を形成するか、又は、該第一半筒体の同じ部位に少なくとも１つの磁石を設け、前記第二半筒体の対応する位置に鉄片を設置し、前記第一半筒体と前記第二半筒体が相互に吸着し密封する機能を形成するか、あるいは、該第一半筒体の同じ部位に少なくとも１つの磁石を設け、前記第二半筒体を鉄製とすることで、前記第一半筒体と前記第二半筒体を相互に吸着させ閉じ合わせる構造のうち、いずれかとすることができる。
【手続補正７】
【補正対象書類名】明細書
【補正対象項目名】００１８
【補正方法】変更
【補正の内容】
【００１８】
本考案の多機能ケースは、具体的には文具ケース、名刺ケース、眼鏡ケース、化粧箱、ギフトボックス、財布又は商品包装ボックス等に応用でき、その使用状態は、図３以下に示すように、第一半筒体１及び第二半筒体２を相互に閉じ合わせたとき、複数の連結ベルト３、３’を箱体外面周囲１２、２２に巻きつけ、該連結ベルト３、３’の片面の模様や文字または数字（図４に示す）を表示することができる。
また、図５及び図６に示すように、使用者が物品を収納するときは、任意に第一半筒体１及び第二半筒体２の開口部前縁部１１１、２１１を開け、該第一半筒体１及び第二半筒体２内部に物品を入れて収納する。
【手続補正８】
【補正対象書類名】明細書
【補正対象項目名】００２０
【補正方法】変更
【補正の内容】
【００２０】
上述の実施構造と使用状態などから分かるように、本考案の多機能ケースは任意に２つの箱体１、２の開放側を開口部の前縁部１１１、２１１又は開口部の後縁部１１２、２１２に変えて使用することができるため、異なる使用習慣を持つ使用者がそれぞれに便利なように使用することができ、操作上の利便性と構造上の変化の効果を得ることができる。
更に、開放方向を変換すると、該連結ベルト３、３’が両面で異なる模様や文字、数字等を表示することができるため、使用者個人の好みに合わせて使用でき、使用時に個性を表現することができる。また、該連結ベルト３、３’の両面に広告宣伝文字を設けることができるため、商品の包装ボックスとして応用する場合、その広告効果がより向上される。